(57)【要約】      （修正有）【課題】この発明は、作業員が複数の間接活線工具を各々片手で持っても、安定した体勢で各々の間接活線工具を操作することが可能であると共に、間接活線工具の基端部を作業員の身体の前方の初期位置から右手方向と左手方向とにずらすことを可能とした間接活線工具保持用器具を提供することを目的とする。【解決手段】間接活線工具保持用器具１は、胴体装着部２と一対の肩掛け部３とを有する。胴体装着部２は、前方に複数の保持部５が設けられている。複数の保持部５は、台部５１と、中層部５２と、筒状部５３とを備える。筒状部５３は、胴体装着部２とは反対側が開口して間接活線工具の基端部が挿入可能となっていると共に、筒状部５３に間接活線工具の基端部を装着した際に間接活線工具が斜め上方を向くように、台部５１の傾斜部に設けられている。保持部５は、軸部５４を介して胴体装着部２に対し回転自在となっている。【選択図】図３
2017147777.tif 000002
【特許請求の範囲】
【請求項１】
人の胴体に装着される胴体装着部と、人の肩部に掛けられる一対の肩掛け部とを有し、前記一対の肩掛け部は、前方の下端が前記胴体装着部の前方の上端と連接し、後方の下端が前記胴体装着部の後方の上端と連接される間接活線工具保持用器具において、
前記胴体装着部は、前方に複数の保持部が所定の間隔を開けて設けられ、
前記複数の保持部は、台部と、中層部と、筒状部とをそれぞれ備え、
前記台部は、前記胴体装着部の外面に当接する当接部と、この当接部の一端に連接し、記胴体装着部から離れる方向に傾斜しつつ延びる傾斜部とを有し、
前記中層部は、前記台部と一体をなし、前記胴体装着部の外面と前記台部の傾斜部の内面との間に、前記胴体装着部と前記台部の傾斜部との空隙を埋めるように介在され、
前記筒状部は、前記台部の傾斜部の外面に設けられ、前記胴体装着部とは反対側が開口して間接活線工具の基端部が挿入可能になっていることを特徴とする間接活線工具保持用器具。
【請求項２】
前記保持部の台部の当接部は、前記胴体装着部に軸部を介して連結されていると共に、前記軸部を中心として回転自在となっていることを特徴とする請求項１に記載の間接活線工具保持用器具。
【請求項３】
前記筒状部は、前記傾斜部から開口端までの寸法が、前記当接部側よりも前記当接部とは反対側の方が大きくなっていることを特徴とする請求項１又は請求項２に記載の間接活線工具保持用器具。
【発明の詳細な説明】
【技術分野】
【０００１】
この発明は、間接活線作業において、絶縁操作棒や絶縁ヤットコ等の間接活線工具の基端部を作業員の身体近くで保持するためのもので、作業員が身体に着用する型の器具に関する。
【背景技術】
【０００２】
この種の間接活線作業において、作業員が絶縁操作棒や絶縁ヤットコ等の間接活線工具を操作する場合に、使用する間接活線工具が１つであれば、例えば特許文献１に示されるように、一人の作業員が1つの間接活線工具の基端部の持ち手部分を両手で持った状態で操作することができる。しかしながら、一人の作業員が同時に２つの間接活線工具を使用するときには、片手で間接活線工具を１つずつ持って操作しなければならない。このため、同時に使用する間接活線工具の数が２つのときには、作業員の体勢の安定性や間接活線工具のバランス等が損なわれ、間接活線作業の効率性が悪くなることが考えられる。
【０００３】
この点、特許文献２に示されるように、作業員が着用する型の絶縁操作棒支持具が開示されている。この絶縁操作棒支持具は、作業員の前方において支持部が上下に３つ並ぶかたちで配置され、各支持部は上方に開口したポケット状のものとなっている。このような構成の絶縁操作棒支持具とすることで、ポケット状の支持部に開口部から絶縁操作棒を挿入することにより、絶縁操作棒の基端部を作業員の身体の近くで保持することが可能である。
【先行技術文献】
【特許文献】
【０００４】
【特許文献１】特開２００９−５５４０号公報
【特許文献２】特開２００９−５４９６号公報
【発明の概要】
【発明が解決しようとする課題】
【０００５】
もっとも、特許文献２に示される絶縁操作棒支持具は、３つの支持部を有しているが、各支持部の開口面積は、間接活線工具の基端部の断面積よりも大きいので、間接活線工具の基端部を支持部に挿入しても、間接活線工具の基端部は、支持部内を動いてしまうおそれがあることから、複数の間接活線工具をそれぞれ片手で持つ場合には、作業員は安定した体勢で複数の間接活線工具を操作することが容易ではない。
【０００６】
また、特許文献２に示される絶縁操作棒支持具のポケット状の支持部は、前後にのみ動く傾動部材に不動の状体で固定されている。このため、特許文献２に示される絶縁操作棒支持具は、傾胴部材を動かすことにより、絶縁操作棒の傾斜角度を、絶縁操作棒の先端が作業員に対し遠近するように変更させることは可能であっても、絶縁操作棒の基端部を作業員の身体の前方の初期位置から右手方向や左手方向にずらすことができない。
【０００７】
そこで、本発明は、作業員が複数の間接活線工具をそれぞれ片手で持っても、安定した体勢で間接活線工具を操作することが可能であると共に、間接活線工具を作業委の身体の前方の初期位置から右手方向と左手方向とにずらすことを可能とした間接活線工具保持用器具を提供することを主たる課題としている。
【課題を解決するための手段】
【０００８】
上記課題を達成するために、請求項１に記載の発明は、人の胴体に装着される胴体装着部と、人の肩部に掛けられる一対の肩掛け部とを有し、前記一対の肩掛け部は、前方の下端が前記胴体装着部の前方の上端と連接し、後方の下端が前記胴体装着部の後方の上端と連接される間接活線工具保持用器具において、前記胴体装着部は、前方に複数の保持部が所定の間隔を開けて設けられ、前記複数の保持部は、台部と、中層部と、筒状部とをそれぞれ備え、前記台部は、前記胴体装着部の外面に当接する当接部と、この当接部の一端に連接し、記胴体装着部から離れる方向に傾斜しつつ延びる傾斜部とを有し、前記中層部は、前記台部と一体をなし、前記胴体装着部の外面と前記台部の傾斜部の内面との間に、前記胴体装着部と前記台部の傾斜部との空隙を埋めるように介在され、前記筒状部は、前記台部の傾斜部の外面に設けられ、前記胴体装着部とは反対側が開口して間接活線工具の基端部が挿入可能になっていることを特徴とする。胴体装着部は、例えば、腰回りに巻き付けられる腰回り装着用ベルト部と、胸部から腹部にかけて配置される前身用ベルト部と、背中に配置される背当て用ベルト部とで成る。保持部の中層部は、例えばウレタン等の反発弾性を有する素材で形成されている。保持部の台部や筒状部は、例えばゴム等の可撓性、伸縮性を有する素材で形成されている。間接活線工具保持用器具は、全体では少なくとも２つの保持部を有する。
【０００９】
これにより、間接活線工具保持用器具を着用後、複数の保持部の筒状部に間接活線工具の基端部をそれぞれ装着することで、複数の間接活線工具がそれぞれ筒状部内でガタツクことなく保持される。このため、作業員が複数の間接活線工具をそれぞれ片手で持って操作する場合でも、各間接活線工具の基端部は保持部で作業員の身体近くにて保持されているので、作業員は、安定した体勢で各間接活線工具を取り扱うことができる。
【００１０】
請求項２に記載の間接活線工具保持用器具にあっては、前記保持部の台部の当接部は、前記胴体装着部に軸部を介して連結されていると共に、前記軸部を中心として回転自在となっていることを特徴とする。当接部は、胴体装着部に固定された軸部に対し回転自在としても、胴体装着部に軸部が回転自在に装着され、この軸部と一体に回転するようにしても良い。
【００１１】
これにより、軸部を中心として保持部を胴体装着部に対し回転自在としたことにより、保持部の筒状体に装着された間接活線工具の基端部を、例えば着用した人の身体の前方の初期位置から左手方向や右手方向にずらすことができるので、間接活線工具の先端を間接活線作業に好適な方向に向けることが可能となる。
【００１２】
請求項３に記載の間接活線工具保持用器具にあっては、前記筒状部は、前記傾斜部から開口端までの寸法が、前記当接部側よりも前記当接部とは反対側の方が大きくなっていることを特徴とする。
【００１３】
これにより、筒状部に間接活線工具の基端部を装着した際に、筒状部のうち間接活線工具の自重が最も加わる部位における当接範囲が他の当接範囲よりも広くなるので、間接活線工具をより安定したかたちで保持することが可能となる。
【発明の効果】
【００１４】
以上のように、本発明によれば、間接活線工具保持用器具を着用後、複数の保持部の筒状部に間接活線工具の基端部をそれぞれ装着することで、複数の間接活線工具が筒状部内でガタツクことなく保持される。よって、作業員が複数の間接活線工具をそれぞれ片手で持って操作する場合でも、各間接活線工具の基端部は保持部で作業員の身体近くにて保持されているので、作業員は、安定した体勢で各間接活線工具を取り扱うことができる。
【００１５】
特に請求項２に係る間接活線工具保持用器具によれば、軸部を中心として保持部を胴体装着部に対し回転自在としたことにより、保持部の筒状体に装着された間接活線工具の基端部を、例えば着用した人の身体の前方の初期位置から左手方向や右手方向にずらすことができるので、間接活線工具の先端を間接活線作業に好適な方向に向けることが可能となる。よって、間接活線作業の作業能率を向上させることができる。
【００１６】
特に請求項３に係る間接活線工具保持用器具によれば、筒状部に間接活線工具の基端部を装着した際に、筒状部のうち間接活線工具の自重が最も加わる部位における当接範囲が他の当接範囲よりも広くなるので、間接活線工具をより安定したかたちで保持することが可能となる。
【図面の簡単な説明】
【００１７】
【図１】図１は、この発明の間接活線工具保持用器具の一例を示す正面図である。
【図２】図２は、この発明の間接活線工具保持用器具の一例を示す側面図である。
【図３】図３は、この発明の間接活線工具保持用器具の一例を示す斜視図である。
【図４】図４は、前記間接活線工具保持用器具の保持部及びその周囲の部位の構成を示す拡大図であり、図４（ａ）は、前記保持部及びその周囲の部位の拡大斜視図、図４（ｂ）は、前記保持部及びその周囲の部位の拡大断面図である。
【図５】図５は、前記間接活線工具保持用器具の保持部及びその周囲の部位の構成の他例を示す拡大図であり、図５（ａ）は、前記保持部及びその周囲の部位の拡大斜視図、図５（ｂ）は、前記保持部及びその周囲の部位の拡大断面図である。
【図６】図６は、作業員が前記間接活線工具保持用器具を着用し、且つ、前記保持部に２つの間接活線工具を装着して作業員の片手で各間接活線工具を持った状態を示す使用状体図である。
【発明を実施するための形態】
【００１８】
以下、本発明の実施形態について添付図面を参照しながら説明する。
【００１９】
図１及び図３において、この発明の間接活線工具保持用器具１の一例の全体構成が示されている。間接活線工具保持用器具１は、作業員の胴体に装着される胴体装着部２と、作業員の肩に掛けられる一対の肩掛け部３、３とで構成されている。
【００２０】
胴体装着部２は、この実施例では、作業員の腰回りに巻き付けられる腰回り装着用ベルト部２１と、作業員の胸部から腹部にかけて配置される前身用ベルト部２２と、作業員の背中に配置される背当て用ベルト部２３とで成っている。
【００２１】
腰回り装着用ベルト部２１は、間接活線工具保持用器具１を装着時に、この間接活線工具保持用器具１の下側部を構成する１の帯状のもので、相互に対峙した２つの端部を有する。そして、２つの端部のうち一方の端部にバックル２１１が装着されており、このバックル２１１に他方の端部を挿入或いは係合させることで、腰回り装着用ベルト部２１は、環状になって、作業員の腰回りに巻き付けることが可能になっている。
【００２２】
前身用ベルト部２２は、間接活線工具保持用器具１を着用時に、この間接活線工具保持用器具１の前方の中間部を構成するもので、２つの帯状部位２２ａ、２２ｂから成り、各帯状部位２２ａ、２２ｂの下端は、腰回り装着用ベルト部２１に対し当該腰回り装着用ベルト部２１と交差するかたちで連接している。そして、この実施例では、前身用ベルト部２２の肩掛け部３との境界には、支持ベルト部２４が設けられている。支持ベルト部２４は、前身用ベルト部２２の帯状部位２２ａから帯状部位２２ｂ側に延びる帯状部位２４ａと、前身用ベルト部２２の帯状部位２２ｂから帯状部位２２ａ側に延びる帯状部位２４ｂとを有する。更に、これらの帯状部位２２ａ、２２ｂの一方の端部にバックル２４１が装着されており、このバックル２４１に帯状部位２２ａ、２２ｂの他方の端部を挿入或いは係合させることで、前身用ベルト部２２は、一連の帯状になる。
【００２３】
背当て用ベルト部２３は、間接活線工具保持用器具１を着用時に、この間接活線工具保持用器具１の後方の中間部を構成するもので、２つの上端と２つの下端とを備えたＸ字状の帯状部位２３ａから成っている。帯状部位２３ａの２つの下端は、腰回り装着用ベルト部２１に対し当該腰回り装着用ベルト部２１と交差するかたちで連接している。
【００２４】
肩掛け部３、３は、この実施例では、間接活線工具保持用器具１を着用時に、この間接活線工具保持用器具１の上側部を構成するもので、それぞれ逆Ｕ字状の帯状部位３ａから成っている。帯状部位３ａの前方の一端（下端）は、各前身用ベルト部２２の上端と連接し、帯状部位３ａの後方の他端（下端）は、背当て用ベルト部２３の２つの上端と連接している。
【００２５】
もっとも、間接活線工具保持用器具１の胴体装着部２及び肩掛け部３の構成は、図１から図３に示される構成に限定されず、胴体装着部２の前方に下記する保持部５を複数設けることができれば良い。
【実施例１】
【００２６】
保持部５の実施例１について、図１から図４及び図６を用いて説明する。保持部５は、間接活線操作棒や絶縁ヤットコ等の間接活線工具１００の基端部１００ａを保持するためのものであり、この実施例１では、帯状部位２２ａ、２２ｂのそれぞれについて、胴体装着部２の支持ベルト部２４との連接部位よりも下側部位と、腰回り装着用ベルト部２１との連接部位よりも上側部位とにおいて、合計４つ設けられている。
【００２７】
これにより、相対的に高い位置にある対象物に対し間接活線工具１００を操作する場合には、上側の保持部５に、間接活線工具１００の基端部１００ａを装着し、相対的に低い位置にある対象物に対し間接活線工具１００を操作する場合には、下側の保持部５に、間接活線工具１００の基端部１００ａを装着するようにすることができる。更には、一方の間接活線工具１００の基端部１００ａは、上側の保持部５に装着し、他方の間接活線工具１００の基端部１００ａは、下側の保持部５に装着するようにすることもできる。
【００２８】
もっとも、保持部５が設けられる数及び保持部５同士の間隔は、保持部５の数が２以上であって、下記する間接活線工具１００の基端部１００ａを同時に複数の保持部５に装着した際に、これらの間接活線工具１００を相互に妨げとなることなく操作することができる間隔であれば良い。
【００２９】
保持部５は、台部５１と、中層部５２と、筒状部５３とで構成されたものであり、これらの台部５１、中層部５２、及び筒状部５３はこの実施例では一体になっている。
【００３０】
台部５１は、例えばゴム等の可撓性及び伸縮性を有する素材で形成されたものであり、図４に示されるように、間接活線工具保持用器具１の胴体装着部２の外面に当接する当接部５１１と、この当接部５１１の一端に連接しつつ胴体装着部２の外面から離れる方向に傾斜した傾斜部５１２とで構成されている。すなわち、傾斜部５１２は当接部５１１に対し折れ曲がった構成となっている。当接部５１１、傾斜部５１２は、この実施例１では薄肉の板状となっている。当接部５１１は、下記する軸部５４を介して胴体装着部２に連結されている。なお、傾斜部５１２は、当接部５１１との連接部を基点として、当接部５１１との反対側が胴体装着部２に対し遠近する方向に撓むことができるようにしても良い。
【００３１】
中層部５２は、例えばウレタン等の反発弾性を有する素材で形成されたものであり、当接部５１１が胴体装着部２の外面に当接に当接した状体では、図４に示されるように、胴体装着部２の外面と傾斜部５１２の内面との間に、胴体装着部２と傾斜部５１２との空隙を埋めるように配置される。すなわち、中層部５２は、当接部５１１側から離れるにつれて徐々に厚みが大きくなる略三角柱形状をなしている。なお、中層部５２は、傾斜部５１２側から押されることで、胴体装着部２側に収縮することができると共に、押される力がなくなると元の状態に復元可能としても良い。
【００３２】
筒状部５３は、例えばゴム等の素材で形成されたものであり、図４に示されるように、台部５１の傾斜部５１２の外面に設けられている。筒状部５３は、傾斜部５１２とは反対側が開口し、その開口形状は円状となっている。そして、筒状部５３の開口の内径寸法は、間接活線工具１００の基端部１００ａをガタツキなく保持することができるように、間接活線工具１００の基端部１００ａの外径寸法より若干大きくなっている。もっとも、筒状部５３に伸縮性を持たせつつ、間接活線工具１００の基端部１００ａの外径寸法よりも若干小さくすることも考えられる。これにより、筒状部５３に間接活線工具１００の基端部１００ａを差し込んだ際に、筒状部５３は、間接活線工具１００の基端部１００ａよりも拡径した後、復元力により、間接活線工具１００の基端部１００ａよりも縮径して、筒状部５３の内周面全体で間接活線工具１００の基端部１００ａを締め付けて保持することができる。
【００３３】
そして、この実施例では、図４（ｂ）に示されるように、台部５１の当接部５１１に通孔５１１ａを形成し、胴体装着部２に通孔４を形成すると共に、通孔５１１ａと通孔４とを連通した状体として、これらの通孔５１１ａ及び通孔４に軸部５４を挿入した構成となっている。そして、軸部５４は、この実施例では、胴体装着部２に不動の状体で固定されており、当接部５１１が軸部５４に対して回転自在に連結されている。もっとも、図示しないが、軸部５４と当接部５１１とが一体になっており、軸部５４が胴体装着部２に対し回転自在に取り付けられるようにしても良い。
【００３４】
これにより、図１の矢印で示されるように、軸部５４を中心として保持部５の当接部５１１を回転させることにより、傾斜部５１２の筒状部５３に装着された間接活線工具１００の基端部１００ａを、作業員の身体の前方の初期位置から右手方向或いは左手方向にずらし、また、元の初期位置に戻すことが可能である。
【実施例２】
【００３５】
保持部５の実施例２について、図５を用いて説明する。但し、先の実施例１として示した保持部５の構成及び機能と同様の構成及び機能については、基本的に、先の実施例１の符号と同様の符号を付してその説明を省略乃至簡略化する。
【００３６】
保持部５は、実施例１と同様に、台部５１と、中層部５２と、筒状部５３とを備え、台部５１は、当接部５１１と傾斜部５１２とを有し、更に、保持部５は、軸部５４を介して間接活線工具保持用器具１の胴体装着部２に連結されており、軸部５４を中心として、間接活線工具保持用器具１を着用した作業員の身体の前方において右手側と左手側とに揺動させることが可能である。
【００３７】
その一方で、筒状部５３は、図５に示されるように、傾斜部５１２から開口端までの寸法が、当接部５１１側よりも当接部５１１とは反対側の方が大きくなっている。これにより、実施例２の筒状部５３に間接活線工具１００の基端部１００ａを装着した際に、筒状部５３のうち間接活線工具１００の自重が最も加わる部位における当接範囲が他の当接範囲よりも広くなる。よって、実施例２では、間接活線工具１００の基端部１００ａを筒状部５３に装着することにより、間接活線工具１００をより安定したかたちで保持することが可能となる。
【００３８】
これまで説明してきた間接活線工具保持用器具１の使用例について、図６を用いて説明する。
【００３９】
作業員は、間接活線工具保持用器具１を着用した後に、例えば作業現場等において、４つの保持部５のうち所望の保持部５の筒状部５３に間接活線工具１００の基端部１００ａを装着して間接活線工具１００を保持部５で保持する。このとき、作業員は、図６に示されるように、間接活線工具１００の基端部１００ａよりも先端側で且つ図示しない限界つば部よりも下側を持つことが好ましい。これにより、間接活線工具１００を相対的に離れた２つの箇所で支持することになり、間接活線工具１００を片手で持つ場合でも、作業員は安定した体勢で間接活線工具１００を操作することが可能となる。
【００４０】
そして、作業員は、間接活線工具１００の位置や向きを変更したい場合には、以下の２つの態様を採ることができる。
【００４１】
まず、所望の間接活線工具１００の先端側を作業員の前方の初期位置から右手方向あるは左手方向にずらしたいときには、その間接活線工具１００を持った手を右手方向あるは左手方向に動かす。これにより、保持部５の当接部５１１ひいては間接活線工具１００の基端部１００ａが装着された筒状部５３が、軸部５４を中心として作業員の身体の前方から右手方向あるは左手方向に回転する。よって、所望の間接活線工具１００の基端部１００ａが作業員の右手方向或いは左手方向にずれて、間接活線工具１００の先端側も、作業員の身体の前方の初期位置から右手方向或いは左手方向にずらすことができる。よって、例えば片手で間接活線工具１００を持った場合でも、間接活線工具１００を持った手の動きのみで行うことができる。
【００４２】
また、傾斜部５１２の当接部５１１に対して反対側が胴体装着部２に対し遠近する方向に可撓性を有し、且つ中層部５２が傾斜部５１２から押されたときに胴体装着部２側に収縮するようにした場合にあっては、所望の間接活線工具１００の先端側を下げる方向に高さを変更したいときには、間接活線工具１００を身体側に引く等して、間接活線工具１００の基端部１００ａで保持部５を間接活線工具保持用器具１の胴体装着部２側に押す。これにより、保持部５の傾斜部５１２の当接部５１１との連接側に対し反対側が胴体装着部２側に近接するように撓むと共に、中層部５２、特に中層部５２の当接部５１１とは反対側の厚みが大きい部位が収縮する。よって、間接活線工具１００の基端部１００ａが装着された筒状部５３が下方に向くので、所望の間接活線工具１００全体が下方に傾斜して、間接活線工具１００の先端が下げられる。なお、間接活線工具１００の基端部１００ａによる保持部５に対する押圧を停止することで、間接活線工具１００も元の状態に戻すことができる。
【符号の説明】
【００４３】
１  間接活線工具保持用器具
２  胴体装着部
３  肩掛け部
５  保持部
５１  台部
５１１  当接部
５１２  傾斜部
５２  中層部
５３  筒状部
５４  軸部
１００  間接活線工具
１００ａ  間接活線工具の基端部
【図１】
2017147777.tif 000003
【図２】
2017147777.tif 000004
【図３】
2017147777.tif 000005
【図４】
2017147777.tif 000006
【図５】
2017147777.tif 000007
【図６】
2017147777.tif 000008